(57)【要約】      （修正有）【課題】耐光性が良好で、各種の基材、好ましくは繊維、より好ましくはポリエステル繊維又はポリエステル繊維含有の混紡繊維の染色に用いる青色染料組成物、好ましくは昇華転写性を有する青色染料組成物の提供。【解決手段】それぞれ水不溶性の着色剤、及び水を含有する、シアンインク、イエローインク、及びマゼンタインクを有し、前記シアンインクが含有する着色剤が、下記式（１）で表される化合物であるインクセット。2019001871.tif 000013［Ｒ１〜Ｒ３は夫々独立にＨ又はＣ１−４アルキル基、その少なくとも２つがＣ１−４アルキル基、炭素数の合計は４〜１２；ＸはＯ又はイミノ基］【選択図】なし【特許請求の範囲】
【請求項１】
それぞれ水不溶性の着色剤、及び水を含有する、シアンインク、イエローインク、及びマゼンタインクを有するインクセットであって、前記シアンインクが含有する着色剤が、下記式（１）で表される化合物であるインクセット。
【化１】
2019001871.tif 000012
［式（１）中、Ｒ１、Ｒ2及びＲ３は、それぞれ独立に水素原子、又はＣ１−Ｃ４アルキル基を表し、Ｒ１、Ｒ2及びＲ３の少なくとも２つがＣ１−Ｃ４アルキル基であり、Ｒ１、Ｒ2及びＲ３の炭素数の合計は４〜１２であり、Ｘは酸素原子、又はイミノ基を表わす。］。
【請求項２】
前記式（１）において、Ｘが酸素原子である、請求項１に記載のインクセット。
【請求項３】
イエローインクが含有する水不溶性の着色剤が、Ｃ．Ｉ．Ｄｉｓｐｅｒｓｅ  Ｙｅｌｌｏｗ、Ｃ．Ｉ．Ｄｉｓｐｅｒｓｅ  Ｏｒａｎｇｅ、Ｃ．Ｉ．Ｓｏｌｖｅｎｔ  Ｙｅｌｌｏｗ、及び、Ｃ．Ｉ．Ｓｏｌｖｅｎｔ  Ｏｒａｎｇｅから選択される染料である、請求項１に記載のインクセット。
【請求項４】
マゼンタインクが含有する水不溶性の着色剤が、Ｃ．Ｉ．Ｄｉｓｐｅｒｓｅ  Ｒｅｄ、Ｃ．Ｉ．Ｓｏｌｖｅｎｔ  Ｒｅｄ、及びＣ．Ｉ．Ｖａｔ  Ｒｅｄから選択される染料である、請求項１に記載のインクセット。
【請求項５】
マゼンタインクが含有する水不溶性の着色剤が、Ｃ．Ｉ．Ｄｉｓｐｅｒｓｅ  Ｒｅｄ、及びＣ．Ｉ．Ｖａｔ  Ｒｅｄから選択される染料である、請求項１又は４に記載のインクセット。
【請求項６】
水不溶性の着色剤、及び水を含有するブルーインクを、さらに有する請求項１〜５のいずれか一項に記載のインクセット。
【請求項７】
ブルーインクが含有する水不溶性の着色剤が、Ｃ．Ｉ．Ｄｉｓｐｅｒｓｅ  Ｂｌｕｅ、及びＣ．Ｉ．Ｓｏｌｖｅｎｔ  Ｂｌｕｅから選択される染料である、請求項６に記載のインクセット。
【請求項８】
ブラックインクをさらに有する、請求項１〜７のいずれか一項に記載のインクセット。
【請求項９】
請求項１〜８のいずれか一項に記載のインクセットのうち、１種類以上のインクの液滴をインクジェットプリンタから吐出させ、基材に付着させる工程Ａにより記録を行うインクジェット記録方法。
【請求項１０】
請求項１〜８のいずれか一項に記載のインクセットのうち、１種類以上のインクの液滴をインクジェットプリンタから吐出させ、基材に付着させる工程Ａと、
工程Ａにより付着させたインクの液滴中の水不溶性の着色剤を、熱により基材に固着させる工程Ｂと、
工程Ｂで固着しなかった水不溶性の着色剤を、基材から洗浄する工程Ｃと、を含む基材の染色方法。
【請求項１１】
前記の工程Ａを行う前に、１種類以上の糊材を少なくとも含有する水溶液を、基材に付与する工程をさらに含む、請求項１０に記載の基材の染色方法。
【請求項１２】
請求項１〜８のいずれか一項に記載のインクセットのうち、１種類以上のインクの液滴をインクジェットプリンタから吐出させ、中間記録媒体に付着させた後、前記の中間記録媒体のインクの液滴の付着面と、基材とを接触させて加熱することにより、中間記録媒体に付着したインクの液滴中の水不溶性の着色剤を、基材に昇華転写させて染色を行う基材の染色方法。
【請求項１３】
基材が、疎水性繊維を含有する繊維である、請求項１０〜１２のいずれか一項に記載の基材の染色方法。
【発明の詳細な説明】
【技術分野】
【０００１】
本発明は、インクセット、それを用いるインクジェット記録方法に関する。
【背景技術】
【０００２】
インクジェット記録方法は、従来のスクリーン印刷等の印刷方法と比較して、無製版であること；省資源であること；省エネルギーであること；及び、高精細な表現が容易であること等の利点がある。
インクジェット記録に用いられる着色剤としては、例えば、水溶性の染料と、水不溶性の顔料・分散染料等が知られている。一般に、前者を使用すると記録画像の画質が良好となり、後者を使用すると各種の堅牢性が良好になると言われている。
また、画像が記録される記録メディアは紙、フィルム等に限られず、繊維も用いられている。
【０００３】
色糊等を用いる従来の繊維の捺染方法は、着色剤の種類や数に制限が無い。このため、同じ色相の染料を多数配合することにより、望みの色相を自由に得ることができた。
一方、インクジェット記録方法を用いた繊維の捺染（インクジェット捺染）は、通常は着色剤としてイエロー、マゼンタ、及びシアンの３色、若しくは、これにブラックを加えた４色のインクセットで行われる。このため、色糊を用いる従来の捺染方法と比較して、色再現範囲が狭いという欠点が指摘されている。このため、インクジェット捺染における色再現範囲の拡大は、極めて大きな課題となっている。
特に、イエローインクとシアンインクの混色として得られるグリーン領域において、発色性（印字濃度）と彩度の両方が高く、且つ、光による変色が少ない耐光性が良好な画像が得られるインクセットは知られていない。また、色再現範囲を拡大するために、イエロー、マゼンタ、及びシアンの３色に加えて、ブルー、オレンジ、レッド、バイオレット等の特色を用いることも提案されている。
【０００４】
特許文献１〜３には、それぞれ乾式染色法、分散染料混合物、及び分散染料組成物が開示されている。
【先行技術文献】
【特許文献】
【０００５】
【特許文献１】特公昭５７−２８３５号公報
【特許文献２】特開２００４−３３９５１４号公報
【特許文献３】国際公開２０１３／０１８７１３号公報
【発明の概要】
【発明が解決しようとする課題】
【０００６】
本発明は、シアンインクとイエローインクの混色であるグリーン、及び、シアンインクとマゼンタインクの混色であるレッドの色調における耐光性に優れ、人体や環境に優しい、シアンインク、イエローインク、及びマゼンタインクを有するインクセット、及びそれを用いたインクジェット記録方法の提供を課題とする。
【課題を解決するための手段】
【０００７】
本発明者等は前記課題を解決すべく鋭意検討した結果、特定の着色剤を含有するインクセットにより、前記の課題を解決できることを見出し、本発明を完成させた。
【０００８】
即ち、本発明は、以下の１）〜１３）に関する。
１）
それぞれ水不溶性の着色剤、及び水を含有する、シアンインク、イエローインク、及びマゼンタインクを有するインクセットであって、前記シアンインクが含有する着色剤が、下記式（１）で表される化合物であるインクセット。
【０００９】
【化１】
2019001871.tif 000002
【００１０】
［式（１）中、Ｒ１、Ｒ2及びＲ３は、それぞれ独立に水素原子、又はＣ１−Ｃ４アルキル基を表し、Ｒ１、Ｒ2及びＲ３の少なくとも２つがＣ１−Ｃ４アルキル基であり、Ｒ１、Ｒ2及びＲ３の炭素数の合計は４〜１２であり、Ｘは酸素原子、又はイミノ基を表わす。］。
２）
前記式（１）において、Ｘが酸素原子である、前記１）に記載のインクセット。
３）
イエローインクが含有する水不溶性の着色剤が、Ｃ．Ｉ．Ｄｉｓｐｅｒｓｅ  Ｙｅｌｌｏｗ、Ｃ．Ｉ．Ｄｉｓｐｅｒｓｅ  Ｏｒａｎｇｅ、Ｃ．Ｉ．Ｓｏｌｖｅｎｔ  Ｙｅｌｌｏｗ、及び、Ｃ．Ｉ．Ｓｏｌｖｅｎｔ  Ｏｒａｎｇｅから選択される染料である、前記１）に記載のインクセット。
４）
マゼンタインクが含有する水不溶性の着色剤が、Ｃ．Ｉ．Ｄｉｓｐｅｒｓｅ  Ｒｅｄ、Ｃ．Ｉ．Ｓｏｌｖｅｎｔ  Ｒｅｄ、及びＣ．Ｉ．Ｖａｔ  Ｒｅｄから選択される染料である、前記１）に記載のインクセット。
５）
マゼンタインクが含有する水不溶性の着色剤が、Ｃ．Ｉ．Ｄｉｓｐｅｒｓｅ  Ｒｅｄ、及びＣ．Ｉ．Ｖａｔ  Ｒｅｄから選択される染料である、前記１）又は４）に記載のインクセット。
６）
水不溶性の着色剤、及び水を含有するブルーインクを、さらに有する前記１）〜５）のいずれか一項に記載のインクセット。
７）
ブルーインクが含有する水不溶性の着色剤が、Ｃ．Ｉ．Ｄｉｓｐｅｒｓｅ  Ｂｌｕｅ、及びＣ．Ｉ．Ｓｏｌｖｅｎｔ  Ｂｌｕｅから選択される染料である、前記６）に記載のインクセット。
８）
ブラックインクをさらに有する、前記１）〜７）のいずれか一項に記載のインクセット。
９）
前記１）〜８）のいずれか一項に記載のインクセットのうち、１種類以上のインクの液滴をインクジェットプリンタから吐出させ、基材に付着させる工程Ａにより記録を行うインクジェット記録方法。
１０）
前記１）〜８）のいずれか一項に記載のインクセットのうち、１種類以上のインクの液滴をインクジェットプリンタから吐出させ、基材に付着させる工程Ａと、
工程Ａにより付着させたインクの液滴中の水不溶性の着色剤を、熱により基材に固着させる工程Ｂと、
工程Ｂで固着しなかった水不溶性の着色剤を、基材から洗浄する工程Ｃと、を含む基材の染色方法。
１１）
前記の工程Ａを行う前に、１種類以上の糊材を少なくとも含有する水溶液を、基材に付与する工程をさらに含む、前記１０）に記載の基材の染色方法。
１２）
前記１）〜８）のいずれか一項に記載のインクセットのうち、１種類以上のインクの液滴をインクジェットプリンタから吐出させ、中間記録媒体に付着させた後、前記の中間記録媒体のインクの液滴の付着面と、基材とを接触させて加熱することにより、中間記録媒体に付着したインクの液滴中の水不溶性の着色剤を、基材に昇華転写させて染色を行う基材の染色方法。
１３）
基材が、疎水性繊維を含有する繊維である、前記１０）〜１２）のいずれか一項に記載の基材の染色方法。
【発明の効果】
【００１１】
本発明により、シアンインクとイエローインクの混色であるグリーン、及び、シアンインクとマゼンタインクの混色であるレッドの色調における耐光性に優れ、人体や環境に優しい、シアンインク、イエローインク、及びマゼンタインクを有するインクセット、及びそれを用いたインクジェット記録方法を提供することができた。
【発明を実施するための形態】
【００１２】
本明細書においては実施例等を含めて、特に断りの無い限り「部」及び「％」は、いずれも質量基準で記載する。
また、本明細書において単に「インク」と記載したときは、特に断りの無い限り、前記インクセットが有する全てのインクに対して、共通の内容であることを意味する。
また、本明細書において「Ｃ．Ｉ．」は「カラーインデックス」を意味する。
【００１３】
［水不溶性の着色剤］
前記の水不溶性の着色剤としては、２５℃の水１リットルに対する溶解度が通常５ｇ以下、好ましくは３ｇ以下、より好ましくは１ｇ以下、さらに好ましくは５００ｍｇ以下、特に好ましくは１００ｍｇ以下の着色剤が挙げられる。
【００１４】
前記シアンインクが含有する着色剤は、前記式（１）で表される化合物である。
前記式（１）中、Ｒ１、Ｒ２及びＲ３におけるＣ１−Ｃ４アルキル基としては、直鎖、分岐鎖、又は環状のアルキル基が挙げられる。これらの中では直鎖、又は分岐鎖が好ましく、直鎖がより好ましい。
その具体例としては、例えば、メチル、エチル、ｎ−プロピル、ｎ−ブチルの直鎖アルキル基；イソプロピル、イソブチル、ｓｅｃ−ブチル、ｔ−ブチルの分岐鎖アルキル基；シクロプロピル、シクロブチルの環状アルキル基が挙げられる。
Ｒ１、Ｒ２及びＲ３の炭素数の合計は通常４〜１２、好ましくは４〜８、より好ましくは４〜６、さらに好ましくは４又は５、特に好ましくは４である。炭素数の合計が小さくなると、昇華転写性が良好になる傾向が有る。
昇華転写性に着目すると、Ｒ１、Ｒ２及びＲ３の少なくとも２つがＣ１−Ｃ４アルキル基であり、Ｒ１、Ｒ２及びＲ３の炭素数の合計は４又は５が好ましく、４がより好ましい。また、Ｒ１、Ｒ２及びＲ３のいずれか２つがＣ１−Ｃ４アルキル基であり、残りの１つが水素原子がより好ましい。それらの中でもＲ１、Ｒ２及びＲ３のいずれか２つがエチルであり、残りの１つが水素原子がさらに好ましい。式（１）で表される化合物は、昇華転写性を有する方が好ましい。
【００１５】
Ｘは酸素原子、又はイミノ基であり、酸素原子が好ましい。
【００１６】
前記式（１）で表される化合物は、公知の方法により得ることができる。
一例としては、下記式（２）で表される化合物、及び下記式（３）で表されるアミン化合物を有機溶剤（例えばスルホラン）中で加え、７０℃〜２２０℃、好ましくは１２０℃〜１８０℃で反応させることにより、前記式（１）で表される化合物を得ることができる。この反応は常圧で行うことができる。また、オートクレーブ等を使用して反応を加圧下で行うと、反応が促進されるため好ましい。
【００１７】
【化２】
2019001871.tif 000003
【００１８】
前記式（２）中、Ｘは前記式（１）におけるのと同じ意味を表す。
【００１９】
【化３】
2019001871.tif 000004
【００２０】
前記式（３）中、Ｒ１、Ｒ２及びＲ３は、前記式（１）におけるのと同じ意味を表す。
【００２１】
前記イエローインク、マゼンタインク、ブルーインク、及びブラックインクがそれぞれ含有する着色剤としては、染料、及び顔料が挙げられる。これらの中では染料が好ましい。
染料としては、Ｃ．Ｉ．Ｄｉｓｐｅｒｓｅ、Ｃ．Ｉ．Ｓｏｌｖｅｎｔ、及びＣ．Ｉ．Ｖａｔから選択される染料が挙げられる。
イエローインクが含有する着色剤は、Ｃ．Ｉ．Ｄｉｓｐｅｒｓｅ  Ｙｅｌｌｏｗ、Ｃ．Ｉ．Ｄｉｓｐｅｒｓｅ  Ｏｒａｎｇｅ、Ｃ．Ｉ．Ｓｏｌｖｅｎｔ  Ｙｅｌｌｏｗ、及び、Ｃ．Ｉ．Ｓｏｌｖｅｎｔ  Ｏｒａｎｇｅから選択される染料が好ましい。その具体例としては、例えば、Ｃ．Ｉ．Ｄｉｓｐｅｒｓｅ  Ｙｅｌｌｏｗ  １〜１０、１１：１、１２〜１７、１９〜２８、３１〜３５、３８、３９、４２〜４４、４７、４９〜５１、５４、５６〜１８４、１８４：１、１８５〜２３２、２３４〜
２４３、２４５〜２５６；Ｃ．Ｉ．Ｓｏｌｖｅｎｔ  Ｙｅｌｌｏｗ  １〜３、３：１、４〜２４、２５：１、２５〜３０、３０：１、３１〜４３、４４：１、４４〜５２、５５〜
６２、６４、６５、６８〜７４、７６〜８２、８３：１、８３〜９１、９３〜１２６、１２８〜１４１、１４３〜１６０、１６０：１、１６１〜１６５、１６７〜１９６、１９９；Ｃ．Ｉ．Ｄｉｓｐｅｒｓｅ  Ｏｒａｎｇｅ  １、１：１、２、３、３：１、５〜２４、２５：１、２５、２７〜４１、４１：１、４２〜５８、６０〜９１、９３、９４、９６〜９８、１００〜１４３、１４５〜１５１、１５３〜１５８；Ｃ．Ｉ．Ｓｏｌｖｅｎｔ  Ｏｒａｎｇｅ  １〜６、７：１、７〜３６、３７：１、３７〜４０、４０：１、４１、４３〜６６、６８〜７７、７９〜８７、９０〜９９、１０１〜１１６が挙げられる。
これらの着色剤の中ではＣ．Ｉ．Ｄｉｓｐｅｒｓｅ  Ｙｅｌｌｏｗ  １〜３、５、７、８、１０、１１、１３〜１５、２３、２７、３２〜３４、４２、４９、５１、５４、５６〜５８、６０、６３、６４、６７、６９、７１、７７、７９、８２、８６、８８、１０９、１１４、１１８〜１２１、１２３、１２４、１２６、１３１、１３６〜１３８、１６２〜１６８、１７４〜１７８、１８４、１８４：１、１８５〜１９７、２０５、２１１、２２０、２２２、２２４、２２６、２２８、２２９、２３１、２３２、２３４、２３７、２４１、２４２、２４５〜２５１、２５３〜２５６；Ｃ．Ｉ．Ｓｏｌｖｅｎｔ  Ｙｅｌｌｏｗ  ２、３、４、７、８、１０〜１６、１８、１９、２１〜２３、２５：１、２５、２７〜３０、３２〜３４、３６、４０、４２、４３、４４〜４８、５６、５８、６０〜６２、６４、６８、６９、７１〜７３、７７、７９〜８２、８３：１、８３、８５、８８〜９０、９３、９４、９６、９８〜１０１、１０４、１０７、１１４、１１６〜１２１、１２３〜１２５、１３０、１３１、１３３、１３５、１３６、１３８、１４１、１４３、１４５〜１６３、１６７、１７２、１７３、１７５〜１７８、１８１〜１９２、１９４〜１９９；Ｃ．Ｉ．Ｄｉｓｐｅｒｓｅ  Ｏｒａｎｇｅ  １、３、５、１３、２０、２５：１、２５、２９〜３２、３６、３７、４０、４１、４４、４５、４７、５４、５６、６１、６２、７３〜７６、８０、８１、９３、９６、９８、１０１、１１８〜１２５、１２７、１３１〜１３５、１４８、１５５〜１５８；Ｃ．Ｉ．Ｓｏｌｖｅｎｔ  Ｏｒａｎｇｅ  １〜６、７、１１、１２、１４、１５、１８、２０、２２〜２５、３１、３６、３７：１、３７、４０、４０：１、４１、４５、４７、４８、５４、５６、５８、６０、６２〜６６、７０、７５、７７、７９〜８３、８５〜８７、９２、９３、９８、９９、１０１、１０４〜１０７、１０９〜１１３、１１５が好ましい。
これらの着色剤の中では、カラーインデックスオンラインで検索したときの「Ｓｈａｄｅ」がイエロー、レディッシュイエロー、グリーニッシュイエロー、ブライトイエロー、ブライトグリーニッシュイエロー、フルオレセントブライトに分類される、Ｃ．Ｉ．Ｄｉｓｐｅｒｓｅ  Ｙｅｌｌｏｗ  １、２、５、７、８、１０、１４、１５、２３、２７、３２〜３４、４２、４９、５１、５４、５６〜５８、６０、６３、６４、６９、７１、７７、７９、８２、８６、８８、１０９、１１８〜１２１、１２３、１２４、１２６、１３１、１３６、１３８、１６２〜１６５、１６７、１６８、１７４〜１７６、１８５、１８７〜１９７、２０５、２１１、２２０、２２２、２２４、２２６、２２８、２２８、２３１、２３４、２３７、２４１、２４２、２４５〜２４８、２５１、２５３、２５６；Ｃ．Ｉ．Ｓｏｌｖｅｎｔ  Ｙｅｌｌｏｗ  ２〜４、７、８、１０〜１６、１８、１９、２１〜２３、２５：１、２５、２７、２９、３０、３２〜３４、３６、４０、４２〜４８、５６、５８、６０〜６２、６４、６８、６９、７１〜７３、７７、７９〜８３、８３：１、８８〜９０、９３、９４、９６、９８〜１０１、１０４、１０７、１１４、１１６〜１２１、１２３〜１２５、１３０、１３１、１３３、１３６、１３８、１４１、１４３、１４６、１４８〜１５８、１６０、１６０：１、１６１〜１６３、１６７、１７５、１７６、１８１、１８４〜１９１、１９６、１９９；前記と同様に「Ｓｈａｄｅ」がオレンジ、イエローイッシュオレンジに分類される、Ｃ．Ｉ．Ｄｉｓｐｅｒｓｅ  Ｏｒａｎｇｅ  １、３、５、１３、２０、２５：１、２５、２９、３０、３７、４１、４４、５４、６１、６２、７３〜７６、８０、９３、９６、９８、１２０、１２１、１２５、１２７、１３２、１３３、１４８、１５５〜１５８；Ｃ．Ｉ．Ｓｏｌｖｅｎｔ  Ｏｒａｎｇｅ  １、３〜５、１１、２４、２５、３７：１、３７、４０、４５、４７、５６、６０、６４〜６６、７５、８５〜８７、９９、１１１がより好ましい。
イエローインクがＣ．Ｉ．Ｄｉｓｐｅｒｓｅ  Ｏｒａｎｇｅ、及びＣ．Ｉ．Ｓｏｌｖｅｎｔ  Ｏｒａｎｇｅから選択される着色剤を含有するときは、Ｃ．Ｉ．Ｄｉｓｐｅｒｓｅ  Ｙｅｌｌｏｗ、及びＣ．Ｉ．Ｓｏｌｖｅｎｔ  Ｙｅｌｌｏｗから選択される着色剤と、併用するのが好ましい。また、前記の中ではＣ．Ｉ．Ｄｉｓｐｅｒｓｅ  Ｙｅｌｌｏｗ、及びＣ．Ｉ．Ｓｏｌｖｅｎｔ  Ｙｅｌｌｏｗから選択される着色剤がより好ましい。
【００２２】
マゼンタインクが含有する着色剤は、Ｃ．Ｉ．Ｄｉｓｐｅｒｓｅ、Ｃ．Ｉ．Ｓｏｌｖｅｎｔ、及びＣ．Ｉ．Ｖａｔから選択される染料が好ましい。その具体例としては、例えば、Ｃ．Ｉ．Ｄｉｓｐｅｒｓｅ  Ｒｅｄ  １〜５、５：１、６〜１３、１５〜２９、３０：１、３０〜３６、３８、４０、４１、４３、４３：１、４６、４８、５０、５２〜５４、５４：１、５５：１、５５、５６、５８〜６１、６３〜６５、６９、７０、７２〜７４、７４：１、７５〜７８、８０〜８２、８４〜８６、８６：１、８７、８８、９０〜９４、９６〜９８、１００、１０２〜１１１、１１３、１１５〜１１８、１２０〜１２３、１２５〜１４６、１４８〜１６７、１６７：１、１６８〜１９０、１９０：１、１９１、１９１：１、１９２〜２１１、２１４〜２２２、２２４〜２７２、２７４〜３０２、３０２：１、３０３〜３３６、３３８〜３５０、３５２〜３５４、３５６〜３６４、３６６〜３８６、３８８、３９１、３９２；Ｃ．Ｉ．Ｓｏｌｖｅｎｔ  Ｒｅｄ  １〜２４、２４：１、２５〜２７、２９〜３６、３６：１、３７〜４９、４９：１、５０〜８３、８３：１、８４：１、８４〜８７、８９、９０：１、９０〜９２、９６〜１００、１０２、１０３、１０５、１０６、１０８〜１１９、１２２〜１４２、１４４〜１４６、１４８〜１５１、１５３〜１５７、１６０、１６１、１６３、１６４、１６４：１、１６４：２、１６５〜１９１、１９４〜２３７、２４１〜２５２、２５４；Ｃ．Ｉ．Ｖａｔ  Ｒｅｄ  １、２、４〜６、８〜２６、２８〜５６、６０、６１等が挙げられる。
これらの着色剤の中ではＣ．Ｉ．Ｄｉｓｐｅｒｓｅ  Ｒｅｄ  １、４、５、８、９、１１、１３、１５、１７、１９、２２、３０、５０、５３、５４、５５、５０、６０、６１、６５、７２〜７４、７４：１、７７、８２、８６、８８〜９０、９１、９２、９６、１０３、１１６、１１７、１１８、１２１、１３５〜１３７、１３９、１４０、１４５、１４６、１５１、１５２〜１５４、１５６、１５７、１６１、１６２、１６４、１６５、１６７、１６７：１、１７７、１７９、１８４、１８８、１８９、１９０、１９０：１、１９１、１９１：１、１９２、１９４、１９６、２０２、２１７、２１８、２１９、２２０、２５８〜２６０、２６４、２６５、２６６、２６７、２６８、２６９、２７１、２７６、２７７、２７８、２８３〜２８５、２８６、２８７、２８８、２８９、２９０、２９１、２９２、２９３、２９４、２９５、２９７〜２９９、３００〜３０２、３１１、３１４、３１９、３２４、３２６、３２７、３３０、３３２、３３５、３３６、３３８、３４３、３４４、３４８、３５６、３５９、３６０、３６１、３６２、３６３、３６４、３６８、３７２、３７３、３７６〜３７８、３８０、３８１、３８２、３８３、３８４、３８５、３８６、３８８、３９１、３９２；Ｃ．Ｉ．Ｓｏｌｖｅｎｔ  Ｒｅｄ  １〜４、７〜９、１３、１４、１６、１７、１８、１９、２３、２４、２５〜２７、２９、３０、３３、３４、３５、３９、４０、４１、４３、４５、４８、４９、５２、６０、６８、６９、７２、７３、７８、８０、８１、８２、８３：１、８３、８４：１、８４、８９、９０：１、９０、９１、９２、９６、１０５、１０６、１０８、１０９、１１１、１１５、１１８、１１９、１２２、１２４、１２５、１２７、１３０、１３２、１３５、１４０、１４１、１４４〜１４６、１４８、１４９、１５０、１５１、１５５、１６０、１６１、１６４、１６４：１、１６４：２、１６５、１６６、１６７、１６８〜１７０、１７２、１７５、１７９、１８０〜１８２、１８３、１８４〜１８７、１８９、１９０、１９１、１９５〜２０２、２０７、２０８、２１０、２１６〜２１９、２２１、２２２、２２７、２２９、２３１、２３２、２３６、２３７、２４１、２４２、２４３、２４４、２４５、２４６〜２４８、２４９、２５０、２５２、２５４；Ｃ．Ｉ．Ｖａｔ  Ｒｅｄ  １、１０、１２、１３、１４、１５、１６、２９、３１、３２、４１、５２、５３が好ましい。
これらの着色剤の中では、前記と同様に「Ｓｈａｄｅ」がレッド、ブルーイッシュレッド、ブライトブルーイッシュレッド、ブライトブルーイッシュピンクに分類される、Ｃ．Ｉ．Ｄｉｓｐｅｒｓｅ  Ｒｅｄ  １、５、８、９、１１、１３、１５、１７、１９、３０、５０、５３、５５、５０、６０、６５、７２〜７４、７４：１、７７、８２、８８〜９０、９２、１０３、１１６、１１７、１３５〜１３７、１３９、１４０、１４５、１４６、１５２〜１５４、１５６、１５７、１６１、１６２、１６４、１６５、１６７、１６７：１、１７７、１７９、１８４、１８９、１９０、１９０：１、１９１、１９１：１、１９２、１９４、２０２、２１８、２２０、２５８〜２６０、２６４、２６５、２６８、２６９、２７６、２７８、２８３〜２８５、２８８、２８９、２９２、２９３、３００〜３０２、３１１、３１４、３１９、３２４、３２７、３３０、３３２、３３５、３３８、３４３、３４４、３４８、３５６、３５９、３６０、３６３、３６８、３７３、３７６〜３７８、３８０、３８２、３８３、３８６；Ｃ．Ｉ．Ｓｏｌｖｅｎｔ  Ｒｅｄ  ７〜９、１４、１６、１９、２４、２５〜２７、３４、３５、４１、４５、４８、４９、５２、７８、８１、８３：１、８３、８４：１、８４、９１、１０６、１０８、１１１、１１５、１１８、１２４、１２５、１３２、１４０、１４１、１４４〜１４６、１４８、１４９、１５１、１５５、１６０、１６４、１６４：１、１６４：２、１６５、１６６、１６８〜１７０、１７５、１８０〜１８２、１８４〜１８７、１８９、１９０、１９５、１９８、２０１、２０２、２０７、２０８、２１０、２２１、２２２、２２７、２３２、２４２、２４３、２４５、２４９、２５４；Ｃ．Ｉ．Ｖａｔ  Ｒｅｄ  １、１０、１２、１３、１６、２９、３１、３２、４１がより好ましい。
【００２３】
前記インクセットは、さらに広い色相を表現する目的で、オレンジ、ブルー、グリーン、バイオレット、ブラウン等から選択されるインクを併用することができる。これらのインクが含有する着色剤としては、染料、及び顔料が挙げられる。これらの中では染料が好ましい。染料としては、Ｃ．Ｉ．Ｄｉｓｐｅｒｓｅ、及びＣ．Ｉ．Ｓｏｌｖｅｎｔから選択される染料が挙げられる。
【００２４】
オレンジインクが含有する着色剤としては、前記イエローインクが含有する着色剤として挙げた、Ｃ．Ｉ．Ｄｉｓｐｅｒｓｅ  Ｏｒａｎｇｅ、及びＣ．Ｉ．Ｓｏｌｖｅｎｔ  Ｏｒａｎｇｅと、好ましいもの等を含めて同じものが挙げられる。
【００２５】
ブルーインクが含有する着色剤としては、Ｃ．Ｉ．Ｄｉｓｐｅｒｓｅ  Ｂｌｕｅ  １、１：１、２、３、３：１、４〜６、７、８、９：１、９〜１３、１３：１、１４、１５〜１８、１９、２０、２１、２２、２３、２４、２６、２６：１、２７、２８〜３０、３１、３２〜３４、３５、３６、３８、４０、４２〜４５、４７〜４９、５１、５２、５３、５４、５５、５６、５８、６０：１、６０〜６２、６４：１、６４、６５、６８、７０、７２：１、７２、７３、７５、７６、７７、７９、７９：１、７９：２、７９：３、８０、８１：１、８１〜８３、８４、８５：１、８５、８６、８７：１、８７、８８〜９３、９４、９５、９６〜９８、１００、１０１、１０２、１０３〜１０５、１０６、１０６：１、１０７、１０８、１０９、１１１〜１１７、１１８、１１９、１２１〜１２３、１２４、１２５〜１２８、１３０、１３１、１３２、１３３、１３４、１３６〜１４４、１４５、１４６、１４７、１４８〜１５０、１５１〜１５６、１５８、１５９〜１６４、１６５：１、１６５：２、１６５：３、１６６〜１７１、１７３〜１７７、１７９、１８０、１８０：１、１８１、１８２、１８３：１、１８３、１８４〜１９０、１９１〜１９４、１９６〜２５６、２５７〜２７０、２７１、２７２〜２７９、２８０、２８０：１、２８１、２８２、２８３、２８４、２８５〜２９０、２９１、２９２、２９３、２９４、２９５〜２９８、２９９〜３１４、３１５〜３２１、３２２、３２３〜３３３、３３４、３３５、３３６、３３７、３３８、３３９、３４０〜３４３、３４４、３４５、３４６、３４７、３４９〜３５２、３５３、３５４、３５５、３５６、３５８、３５９、３６０〜３６３、３６４〜３６６、３６７〜３７１、３７２、３７３、３７４、３７５〜３８３、３８５〜３８７；Ｃ．Ｉ．Ｓｏｌｖｅｎｔ  Ｂｌｕｅ  １、２、３〜７、８〜１０、１１、１２、１３〜１５、１６、１７、１８、１９〜２４、２５、２６、２７、２８、３０、３１、３２、３３、３４〜３８、３９、４０、４１、４２、４３〜４５、４６、４８、４９、５０、５１、５２〜５５、５６〜５９、５９：１、６３、６４、６５、６６、６７〜７０、７１、７２、７４〜７６、７８、７９、８０、８１、８２〜８７、８８〜９３、９４、９５、９６、９７〜１０２、１０３、１０４〜１１５、１１６、１１７、１１８、１１９、１２０、１２１、１２２〜１２４、１２５〜１２７、１２８、１２９、１３０〜１３３、１３４〜１３６、１３７、１３８、１３９、１４１、１４２、１４３〜１４５、１４６、１４７、１４８、２６６等が挙げられる。
これらの着色剤の中ではＣ．Ｉ．Ｄｉｓｐｅｒｓｅ  Ｂｌｕｅ  １、３、７、８、１４、１９、２０、２３、２４、２６、２６：１、２７、３１、３５、５２、５４、５６、６０：１、６０〜６２、６８、７２、７３、７７、７９：１、７９：２、８１：１、８１〜８３、８５、８７、９４、９６〜９８、１００、１０２、１０６、１０８、１０９、１１８、１２４、１３０、１３２、１３３、１４５、１４６、１４８〜１５０、１５８、１６５：１、１８３：１、１８３、１９１〜１９４、２５７〜２７０、２７２〜２７９、２８１、２８３、２８４、２９１、２９２、２９４、２９９〜３１４、３２２、３３４、３３７、３４０〜３４３、３４５、３４６、３５３、３５４、３５８、３５９、３６４〜３６６、３７２、３７３、３７５〜３８３、３８５〜３８７；Ｃ．Ｉ．Ｓｏｌｖｅｎｔ  Ｂｌｕｅ  ３〜７、１１、１２、１６、１８、２５、２６、３１、３２、３４〜３８、４１、４３〜４５、４８、４９、５１、５６〜５９、５９：１、６３、６４、６７〜７０、７２、７８、７９、８２〜８７、９４、９７〜１０２、１０４〜１１５、１１７、１１８、１２０、１２２〜１２４、１２８、１２９、１３４〜１３６、１３８、１４１、１４２、１４６、１４８が好ましい。  これらの着色剤の中では、前記と同様に「Ｓｈａｄｅ」がブルー、ブライトレディッシュブルー、ブライトブルー、レディッシュブルー、ブルーイッシュバイオレット、ネイビー、ブライトグリーニッシュブルー、ダルブルーに分類される、Ｃ．Ｉ．Ｄｉｓｐｅｒｓｅ  Ｂｌｕｅ  １、３、７、８、１４、１９、２０、２３、２４、２６、２６：１、２７、３１、３５、５２、５６、６０：１、６０、６１、６８、７２、７３、７７、８１：１、８１〜８３、８７、９６〜９８、１００、１０２、１０６、１０８、１０９、１１８、１２４、１３０、１３２、１４５、１４８〜１５０、１５８、１６５：１、１８３：１、１８３、１９１、１９２、２５７、２６０〜２６４、２６６、２６７、２７０、２７２〜２７９、２８１、２８４、２９１、２９２、２９４、３００、３０２、３０６、３０７、３０９、３１３、３１４、３３４、３３７、３４０、３４２、３４５、３５４、３５８、３５９、３６４〜３６６、３７５〜３７９、３８１、；Ｃ．Ｉ．Ｓｏｌｖｅｎｔ  Ｂｌｕｅ  ３〜７、１１、１２、１６、１８、２６、３２、３４〜３８、４１、４３、４５、４８、４９、５１、５８、５９、５９：１、６３、６８、７０、７２、７８、７９、８２〜８７、９４、９７９８、１０２、１０４〜１０６、１０８〜１１５、１１７、１１８、１２０、１２２、１２４、１２８、１２９、１３４〜１３６、１３８、１４８がより好ましい。
【００２６】
グリーンインクが含有する着色剤としては、Ｃ．Ｉ．Ｄｉｓｐｅｒｓｅ  Ｇｒｅｅｎ  １、２、５、６：１、６〜９；Ｃ．Ｉ．Ｓｏｌｖｅｎｔ  Ｇｒｅｅｎ  １、２、３〜５、６、７、９、１０、１１、１２、１３、１４、１５、１６、１７〜１９、２０、２１〜２３、２４、２５、２６、２７、２８〜３０、３１、３２、３３等が挙げられる。これらの着色剤の中ではＣ．Ｉ．Ｄｉｓｐｅｒｓｅ  Ｇｒｅｅｎ  ６：１、６〜９；Ｃ．Ｉ．Ｓｏｌｖｅｎｔ  Ｇｒｅｅｎ  １、３〜５、７、１１、１４、１６、２０、２４、２５、２８〜３０、３２、３３が好ましい。
また、前記イエローインクが含有する着色剤と、ブルーインクが含有する着色剤とを配合し、グリーンインクが含有する着色剤とすることができる。このときの好ましい着色剤等は、前記と同じである。
【００２７】
バイオレットインクが含有する着色剤としては、Ｃ．Ｉ．Ｄｉｓｐｅｒｓｅ  Ｖｉｏｌｅｔ  １、２、３、４、５〜７、８、９〜１１、１１：１、１２〜１７、２０〜２５、２６〜２８、２９、３３、３４、３５、３６、３８〜４８、４９、５０〜５６、５７〜５９、６０〜６２、６３、６４、６５〜７６、７７〜７９、８０、８１、８２〜８５、８６〜８９、９１〜９３、９３：１、９４〜９６、９７、９８、９９、１００、１０２、１０３、１０４、１０５、１０６、１０７、１０９；Ｃ．Ｉ．Ｓｏｌｖｅｎｔ  Ｖｉｏｌｅｔ  １、２、４、５、７、８〜１１、１２、１３、１４、１５〜１８、１９、２１、２１：１、２２〜２４、２６、２８、２９、３０、３１、３２〜３４、３５〜４２、４５、４６、４７〜５０、５１、５７〜６１、６２等が挙げられる。
これらの着色剤の中ではＣ．Ｉ．Ｄｉｓｐｅｒｓｅ  Ｖｉｏｌｅｔ  １、４、８、２６〜２８、３３、３６、４９、５７〜５９、６３、６４、７７〜７９、８２〜８５、９１〜９３、９３：１、９７、９８、１０２、１０４、１０６、１０７、１０９；Ｃ．Ｉ．Ｓｏｌｖｅｎｔ  Ｖｉｏｌｅｔ  ２、８〜１１、１３、１４、１９、２１、２１：１、２６、２８、３０、３１、３５〜４２、４７〜５０、５７〜６１が好ましい。
これらの着色剤の中では、前記と同様に「Ｓｈａｄｅ」がバイオレット、ブライトレディッシュバイオレット、ブライトブルーイッシュバイオレット、レディッシュバイオレット、ブルーイッシュバイオレットに分類される、Ｃ．Ｉ．Ｄｉｓｐｅｒｓｅ  Ｖｉｏｌｅｔ  ８、２６〜２８、３３、３６、４９、５７〜５９、６３、６４、７７〜７９、８２〜８５、９２、９３、９３：１、９７、９８、１０２、１０４、１０６、１０７、１０９；Ｃ．Ｉ．Ｓｏｌｖｅｎｔ  Ｖｉｏｌｅｔ  ８〜１０、１３、１９、２１、２１：１、２６、２８、３０、３１、３５〜４２、４９、５７〜６０がより好ましい。
【００２８】
ブラウンインクが含有する着色剤としては、Ｃ．Ｉ．Ｄｉｓｐｅｒｓｅ  Ｂｒｏｗｎ  １：１、１、２、３、４：１、４、５、７、８、９、１０、１１、１２、１３、１４、１５、１６〜１８、１９、２０、２１、２２、２４〜２７；Ｃ．Ｉ．Ｓｏｌｖｅｎｔ  Ｂｒｏｗｎ  １、２、３〜５、６〜１１、１２、１３〜１６、１７、１８、１９、２０、２１、２２〜２５、２６、２７、２８、２９、３１、３４、３５、３６、３７、３８〜４０、４１〜４３、４４、４５、４６、４７、４８、４９、５０、５１〜５３、５６〜６４等が挙げられる。
これらの着色剤の中ではＣ．Ｉ．Ｄｉｓｐｅｒｓｅ  Ｂｒｏｗｎ  １：１、１、３、９、１２、１４、１５、１９、２２、２４〜２７；Ｃ．Ｉ．Ｓｏｌｖｅｎｔ  Ｂｒｏｗｎ  １、３〜５、１２、１７、１９、２０、２２〜２５、２８、３４、３７、４１〜４３、４６、４７、４９、５１〜５３、５６〜６４が好ましい。
【００２９】
前記シアンインクが含有する着色剤は、式（１）で表される化合物以外に、ブルーインクが含有する着色剤、及びバイオレットインクが含有する着色剤から選択される、1種類以上の着色剤と併用することができる。着色剤の併用を含めるとき、着色剤の総含有量に対する式（１）で表される化合物の含有量は通常５０％〜１００％、好ましくは６０％〜１００％、より好ましくは７０％〜１００％、さらに好ましくは８０％〜１００％である。
【００３０】
前記式（１）で表される着色剤は、昇華性を有する。昇華性を有する染料は、昇華転写染色に使用することができる。
布帛等の繊維へ直接インクを付着させて染色をするときは、染色後の繊維に固着せずに、繊維中に残存する染料を、水等により洗浄する必要がある。一方、昇華転写染色は、中間記録媒体にインクを付着させた後に、そのインクが含有する染料のみを、繊維へ昇華転写して染色することができる。このため、繊維の洗浄水を必要とせず、洗浄及びその後の乾燥に必要なエネルギーを節約でき、且つ、染料を含有する洗浄廃液を排出しない、周辺環境に優しい染色方法とされている。前記インクセットは、このような昇華転写染色に用いるインクセットとすることもできる。
本明細書において昇華性を有する染料としては、例えば「乾熱処理に対する染色堅ろう度試験方法［ＪＩＳ  Ｌ  ０８７９：２００５］（２０１０年  確認、平成１７年１月２０日  改定、  財団法人日本規格協会  発行）」における、感熱処理試験（Ｃ法）汚染（ポリエステル）の試験結果が、好ましくは３−４級以下；より好ましくは３級以下の染料が挙げられる。Ｃ．Ｉ．番号を有する昇華性の染料としては、例えば以下の染料が挙げられる。
イエローインクが含有する染料としてはＣ．Ｉ．Ｄｉｓｐｅｒｓｅ  Ｙｅｌｌｏｗ  ３、７、８、２３、３９、５１、５４、６０、７１、８２、８６；Ｃ．Ｉ．Ｓｏｌｖｅｎｔ  Ｙｅｌｌｏｗ  ４３、１１４、１６３等が挙げられる。
マゼンタインクが含有する染料としてはＣ．Ｉ．Ｄｉｓｐｅｒｓｅ  Ｒｅｄ  １１、５０、５３、５５、５５：１、５９、６０、６５、７０、７５、９３、１４６、１５８、１９０、１９０：１、２０７、２３９、２４０；Ｃ．Ｉ．Ｖａｔ  Ｒｅｄ  ４１等が挙げられる。
オレンジインクが含有する染料としてはＣ．Ｉ．Ｄｉｓｐｅｒｓｅ  Ｏｒａｎｇｅ  １、１：１、５、２０、２５、２５：１、３３、５６、７６等が挙げられる。
ブルー染料としてはＣ．Ｉ．Ｄｉｓｐｅｒｓｅ  Ｂｌｕｅ  １９、２６、２６：１、３５、５５、５６、５８、６４、６４：１、７２、７２：１、８１、８１：１、９１、９５、１０８、１３１、１４１、１４５、３５９、３６０；Ｃ．Ｉ．Ｓｏｌｖｅｎｔ  Ｂｌｕｅ  ３、６３、８３、１０５、１１１等が挙げられる。
バイオレット染料としてはＣ．Ｉ．Ｄｉｓｐｅｒｓｅ  Ｖｉｏｌｅｔ  ８、１７、２３、２７、２８、２９、３６、５７等が挙げられる。
ブラウン染料としてはＣ．Ｉ．Ｄｉｓｐｅｒｓｅ  Ｂｒｏｗｎ  ２等が挙げられる。
【００３１】
前記の着色剤は、必要に応じて公知の方法により精製することができる（例えば、酸析、塩析、懸濁精製、及び晶析等）。
【００３２】
前記インクは、水と、必要に応じて有機溶剤とを含有する水系インクとすることも、実質的に水を含有しないインク、すなわち溶剤インクとすることもできる。本明細書において、「実質的に水を含有しないインク」とは、意図的に水を加えないインクを意味する。
【００３３】
有機溶剤としては、例えば、メタノール、エタノール、ｎ−プロパノール、イソプロパノール、ｎ−ブタノール、イソブタノール、第二ブタノール、第三ブタノール等のＣ１−Ｃ４アルコール；Ｎ，Ｎ−ジメチルホルムアミド、Ｎ，Ｎ−ジメチルアセトアミド等のアミド類；２−ピロリドン、Ｎ−メチル−２−ピロリドン、ヒドロキシエチル−２−ピロリドン、１，３−ジメチルイミダゾリジン−２−オン又は１，３−ジメチルヘキサヒドロピリミド−２−オン等の複素環式ケトン；アセトン、メチルエチルケトン、２−メチル−２−ヒドロキシペンタン−４−オン等のケトン又はケトアルコール；テトラヒドロフラン、ジオキサン等の環状エーテル；エチレングリコール、１，２−プロパンジオール、１，３−プロパンジオール、２−メチル−１，３−プロパンジオール、１，２−ブタンジオール、１，４−ブタンジオール、１，２−ペンタンジオール、１，５−ペンタンジオール、１，２−ヘキサンジオール、１，６−ヘキサンジオール等のジオール；ジエチレングリコール、トリエチレングリコール、テトラエチレングリコール、ジプロピレングリコール、ポリエチレングリコール、ポリプロピレングリコール、チオジグリコール等のＣ２−Ｃ６アルキレン単位を有するジ、オリゴ、若しくはポリアルキレングリコール又はチオグリコール；グリセリン、ヘキサン−１，２，６−トリオール、トリメチロールプロパン等のポリオール（好ましくはトリオール）；エチレングリコールモノメチルエーテル、エチレングリコールモノエチルエーテル、ジエチレングリコールモノメチルエーテル、ジエチレングリコールモノエチルエーテル、ジエチレングリコールモノブチルエーテル（ブチルカルビトール）、トリエチレングリコールモノメチルエーテル、トリエチレングリコールモノエチルエーテル等の多価アルコールのＣ１−Ｃ４モノアルキルエーテル；γ−ブチロラクトン；ジメチルスルホキシド等が挙げられる。
【００３４】
水溶性有機溶剤としては、前記のうちジオール、Ｃ２−Ｃ６アルキレン単位を有するジ、オリゴ、若しくはポリアルキレングリコール、及び複素環式ケトンから選択される有機溶剤が挙げられる。それらの中ではアルコール性水酸基を２つ〜３つ有するＣ２−Ｃ６アルコール；ジ又はトリＣ２−Ｃ３アルキレングリコール；及び、繰り返し単位が４以上で、分子量２０，０００程度以下のポリＣ２−Ｃ３アルキレングリコール（好ましくは液状のポリアルキレングリコール）等が好ましい。
それらの具体例としては、例えば、エチレングリコール、プロピレングリコール、１，３−ペンタンジオール、１，５−ペンタンジオール等のジオール；グリセリン、トリメチロールプロパン等のアルコール性水酸基を２つ〜３つ有するＣ２−Ｃ６アルコール；ジエチレングリコール、トリエチレングリコール、ポリエチレングリコール、ポリプロピレングリコール等のジ又はトリＣ２−Ｃ３アルキレングリコール；２−ピロリドン、Ｎ−メチル−２−ピロリドン等の複素環式ケトンが挙げられる。
また、水に溶解して湿潤剤としての役割をする化合物等も、便宜上、本発明では水溶性有機溶剤に含めるものとし、例えば尿素、エチレン尿素及び糖類等が挙げられる。
【００３５】
前記インクが水系インクのとき、インクの総質量に対する有機溶剤の含有量は通常０％〜６０％、好ましくは５％〜５０％である。
前記インクが溶剤インクのとき、水不溶性の着色剤、及び、必要に応じてインク中に添加する、後記のインク調製剤以外の残部は有機溶剤である。
これらの中では水系インクが好ましい。
【００３６】
前記インクを水系インクとするときは、さらに分散剤を含有するのが好ましい。また、そのときの有機溶剤は、水溶性有機溶剤であるのが好ましい。
分散剤は１種類を使用することも、２種類以上を併用することもできる。また、式（１）で表される化合物の一部又は全てを分散剤で被覆することもできる。
分散剤としては、ノニオン分散剤、アニオン分散剤、及び高分子分散剤が挙げられ、目的に応じて適宜選択することができる。
分散剤の使用量は固形分換算で、式（１）で表される化合物の総質量に対して通常１％〜１００％、好ましくは５％〜９０％、より好ましくは１０％〜８０％である。
【００３７】
ノニオン分散剤としては、ポリオキシエチレンアルキルエーテル、ポリオキシエチレンアルキルアリールエーテル、ポリオキシエチレンポリオキシプロピレングリコール、グリセリンエステル、ソルビタンエステル、ショ糖エステル、グリセリンエステルのポリオキシエチレンエーテル、ソルビタンエステルのポリオキシエチレンエーテル、ソルビトールエステルのポリオキシエチレンエーテル、脂肪酸アルカノールアミド、ポリオキシエチレン脂肪酸アミド、アミンオキシド、ポリオキシエチレンアルキルアミン、ポリオキシエチレン−β−ナフチルエーテル、ポリオキシエチレンスチリルフェニルエーテル、ポリオキシエチレンジスチリルフェニルエーテル、フィトステロール類のアルキレンオキサイド付加物、コレスタノール類のアルキレンオキサイド付加物、ポリオキシエチレンアルキルフェニルエーテル、ポリオキシエチレン脂肪酸エステル、ソルビタン脂肪酸エステル、ポリオキシエチレンソルビタン脂肪酸エステル、グリセリン脂肪酸エステル、オキシエチレンオキシプロピレンブロックポリマー、及び、これらの置換誘導体等が挙げられる。
本明細書において「フィトステロール類」と記載したときは、フィトステロール及び／又は水添フィトステロールの両者を含む意味である。例えばフィトステロール類のエチレンオキサイド付加物としては、フィトステロールのエチレンオキサイド付加物及び／又は水添フィトステロールのエチレンオキサイド付加物が挙げられる。
コレスタノール類のアルキレンオキサイド付加物としては、コレスタノール類のＣ２‐Ｃ４アルキレンオキサイド付加物が好ましく、エチレンオキサイド付加物がより好ましい。
本明細書において「コレスタノール類」と記載したときは、コレスタノール類及び／又は水添コレスタノール類の両者を含む意味である。例えばコレスタノール類のエチレンオキサイド付加物としてはコレスタノールのエチレンオキサイド付加物及び／又は水添コレスタノールのエチレンオキサイド付加物が挙げられる。
フィトステロール類又はコレスタノール類１モル当たりのアルキレンオキサイド（好ましくはＣ２‐Ｃ４アルキレンオキサイド、より好ましくはエチレンオキサイド）の付加量は、１０〜５０モル程度で、ＨＬＢが１３〜２０程度のものが好ましい。
これらの具体例としては、例えば、ＮＩＫＫＯＬ  ＢＰＳ‐２０、ＮＩＫＫＯＬ  ＢＰＳ‐３０（フィトステロールのエチレンオキサイド付加物）；ＮＩＫＫＯＬ  ＢＰＳＨ‐２５（水素添加フィトステロールのエチレンオキサイド付加物）；及び、ＮＩＫＫＯＬ  ＤＨＣ‐３０（コレスタノールのエチレンオキサイド付加物）等が挙げられる。
【００３８】
アニオン分散剤としては、例えば、高分子スルホン酸、好ましくは芳香族スルホン酸のホルマリン縮合物又はその塩、若しくはそれらの混合物等が好ましい。「その塩」としては、ナトリウム塩、カリウム塩、リチウム塩等の塩が挙げられる。以下、特に断りの無い限り「スルホン酸のホルマリン縮合物」と記載したときは、「スルホン酸のホルマリン縮合物又はその塩、若しくはそれらの混合物」を含む意味で用いる。
芳香族スルホン酸のホルマリン縮合物としては、例えば、クレオソート油スルホン酸；クレゾールスルホン酸；フェノールスルホン酸；β−ナフタレンスルホン酸；β−ナフトールスルホン酸；ベンゼンスルホン酸；クレゾールスルホン酸；２−ナフトール−６−スルホン酸；リグニンスルホン酸等のホルマリン縮合物が挙げられる。これらの中では、クレオソート油スルホン酸；β−ナフタレンスルホン酸；リグニンスルホン酸の、各ホルマリン縮合物が好ましい。
このようなアニオン分散剤は、例えば、デモール  Ｎ、デモール  Ｃ、デモールＳＮ−Ｂ（花王株式会社製）；ラベリン  Ｗシリーズ、ラベリン  ＡＮシリーズ（第一工業製薬株式会社製）；バニレックス  Ｎ、バニレックス  ＲＮ、バニレックス  Ｇ、パールレックス  ＤＰ（日本製紙株式会社製）等として入手することができる。
【００３９】
高分子分散剤としては、スチレン及びその誘導体（好ましくはスチレン及びα−メチルスチレンから選択される単量体）；ビニルナフタレン及びその誘導体；α，β−エチレン性不飽和カルボン酸の脂肪族アルコールエステル等；（メタ）アクリル酸及びその誘導体；マレイン酸及びその誘導体；イタコン酸及びその誘導体；フマール酸及びその誘導体；酢酸ビニル、ビニルアルコール、ビニルピロリドン、アクリルアミド、及びその誘導体よりなる群等の単量体から選択される、少なくとも２つの単量体（好ましくは、このうち少なくとも１つが親水性の単量体）からなる共重合体、及び／又はそれらの塩等が挙げられる。共重合体としては、例えば、ブロック共重合体、ランダム共重合体及びグラフト共重合体等が挙げられる。なお、本明細書において（メタ）アクリル酸とは、メタクリル酸及びアクリル酸の両方を意味する。
これらの中では、スチレン及びその誘導体、及び（メタ）アクリル酸及びその誘導体から選択される、少なくとも２つの単量体からなる共重合体が好ましい。そのような分散剤の具体例としては、例えば、ＢＡＳＦ社製のジョンクリルシリーズが好ましい。
ジョンクリルシリーズとしては、例えば、ジョンクリル  ６７、６８、５８６、６１１、６７８、６８０、６８２、６８３、６９０等が挙げられる。
【００４０】
カチオン分散剤としては、例えば、脂肪族アミン塩、脂肪族４級アンモニウム塩、ベンザルコニウム塩、塩化ベンゼトニウム、ピリジニウム塩、イミダゾリニウム塩等が挙げられる。
【００４１】
両性分散剤としては、例えば、カルボキシベタイン類、スルホベタイン類、アミノカルボン酸塩、イミダゾリニウムベタイン等が挙げられる。
【００４２】
式（１）で表される化合物を含有する分散液（好ましくは水性分散液）の調製方法としては、公知の方法が使用できる。その一例としては、式（１）で表される化合物と分散剤を混合し、サンドミル（ビーズミルともいう）、ロールミル、ボールミル、ペイントシェーカー、超音波分散機、マイクロフルイダイザー等を用いて分散処理を行う方法が挙げられる。これらの中ではサンドミルが好ましい。サンドミルを用いた分散液の調製は、０．０１ｍｍ〜１ｍｍ径程度のビーズを使用するのが好ましい。また、分散液の調製において、ビーズの充填率を大きくすること等により、分散の効率を高めることができる。
分散処理を行った後に、濾過及び／又は遠心分離等により、ビーズ及び夾雑物等の除去を行う。このとき、目的とする平均粒径よりも巨大な粒子を除去することも好ましく行われる。このような粒子を除去することにより、プリンタヘッドの目詰まりを防止することができる。
分散液の調製中に泡立ちが生じるときは、公知のシリコーン系、アセチレングリコール系等の消泡剤を極微量加えることができる。
消泡剤としては、例えば、日信化学工業株式会社製のオルフィンシリーズ（ＳＫ−１４等）；エアープロダクツジャパン株式会社製のサーフィノールシリーズ（１０４、ＤＦ−１１０Ｄ等）等が挙げられる。
【００４３】
前記インクを調製する方法としては、例えば、前記の水性分散液、水溶性有機溶剤、及び必要に応じてインク調製剤を加えて混合する方法等が挙げられる。これらを混合する順番は特に制限されない。
インク調製剤としては界面活性剤、防腐防黴剤、及びｐＨ調整剤等が挙げられる。インク調製剤は、本発明の効果を阻害しない範囲で添加することができる。インク調製剤の含有量は合計で、インクの総質量に対して通常０〜２５％程度、好ましくは０．０１〜２０％程度である。
【００４４】
界面活性剤としては、アニオン、ノニオン、カチオン、両性等の界面活性剤が挙げられる。
【００４５】
アニオン界面活性剤としては、脂肪酸石鹸、Ｎ−アシル−Ｎ−メチルグリシン塩、Ｎ−アシル−Ｎ−メチル−β−アラニン塩、Ｎ−アシルグルタミン酸塩、アルキルエーテルカルボン酸塩、アシル化ペプチド、アルキルスルホン酸塩、アルキルベンゼンスルホン酸塩、アルキルナフタレンスルホン酸塩、ジアルキルスルホ琥珀酸エステル塩、アルキルスルホ酢酸塩、α−オレフィンスルホン酸塩、Ｎ−アシルメチルタウリン、硫酸化油、高級アルコール硫酸エステル塩、第２級高級アルコール硫酸エステル塩、アルキルエーテル硫酸塩、第２級高級アルコールエトキシサルフェート、ポリオキシエチレンアルキルフェニルエーテル硫酸塩、モノグリサルフェート、脂肪酸アルキロールアミド硫酸エステル塩、アルキルエーテルリン酸エステル塩、アルキルリン酸エステル塩等が挙げられる。アニオン界面活性剤は、株式会社アデカ製のアデカコールシリーズ（ＥＣ−８６００等）、第一工業製薬株式会社製のハイテノールシリーズ（ＮＥ−１５等）、花王株式会社製のペレックスシリーズ（ＯＴ−Ｐ等）等として入手できる。
【００４６】
ノニオン界面活性剤としては、ポリオキシエチレンアルキルエーテル、ポリオキシエチレン２級アルコールエーテル、ポリオキシエチレンアルキルフェニルエーテル、ポリオキシエチレンステロールエーテル、ポリオキシエチレンラノリン誘導体、ポリオキシエチレンポリオキシプロピレンアルキルエーテル、ポリオキシエチレングリセリン脂肪酸エステル、ポリオキシエチレンヒマシ油、硬化ヒマシ油、ポリオキシエチレンソルビタン脂肪酸エステル、ポリオキシエチレンソルビトール脂肪酸エステル、ポリエチレングリコール脂肪酸エステル、脂肪酸モノグリセリド、ポリグリセリン脂肪酸エステル、ソルビタン脂肪酸エステル、プロピレングリコール脂肪酸エステル、ショ糖脂肪酸エステル、脂肪酸アルカノールアミド、ポリオキシエチレン脂肪酸アミド、ポリオキシエチレンアルキルアミン、アルキルアミンオキサイド、アセチレングリコール、アセチレンアルコール等が挙げられる。
ノニオン界面活性剤は、三洋化成工業株式会社製のニューポールシリーズ（ＰＥ−６２等）、日信化学工業株式会社製のオルフィンシリーズ（Ｅ１００４、Ｅ１０１０等）、エアープロダクツジャパン株式会社製のサーフィノールシリーズ（４２０、４４０、４６５等）、株式会社日本触媒製のソフタノールシリーズ（ＥＰ５０３５等）、花王株式会社製のエマルゲンシリーズ（９１１、Ａ−６０等）等として入手できる。
【００４７】
カチオン界面活性剤としては２−ビニルピリジン誘導体、ポリ４−ビニルピリジン誘導体等が挙げられる。
【００４８】
両性界面活性剤としてはラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、イミダゾリン誘導体等が挙げられる。
【００４９】
防腐防黴剤としては、例えば、デヒドロ酢酸ナトリウム、安息香酸ナトリウム、ソジウムピリジンチオン−１−オキサイド、ジンクピリジンチオン−１−オキサイド、１，２−ベンズイソチアゾリン−３−オン、１−ベンズイソチアゾリン−３−オンのアミン塩、アーチケミカルズ社製のプロキセル  ＧＸＬ等が挙げられる。
【００５０】
ｐＨ調整剤としては例えば水酸化ナトリウム、水酸化カリウム、水酸化リチウム等の水酸化アルカリ類、トリエタノールアミン、ジエタノールアミン、ジメチルエタノールアミン、ジエチルエタノールアミン等の３級アミン類等が挙げられる。
【００５１】
前記インクの２５℃における粘度は、Ｅ型粘度計にて測定したときに２〜２０ｍＰａ・ｓ程度が好ましい。また表面張力は、プレート法にて測定したときに２０〜４５ｍＮ／ｍ程度が好ましい。このようなインクとすることにより、例えば産業用インクジェットプリンタを用いる等の高速記録時の、吐出応答性を良好とすることができる。
【００５２】
前記インクは、必要に応じてメンブランフィルター、ガラス濾紙等を用いて精密濾過し、夾雑物等を除去することができる。精密濾過を行うとき、フィルター等の孔径は通常０．５μｍ〜２０μｍ、好ましくは０．５μｍ〜１０μｍ程度である。また、前記の分散処理を行った後の濾過も、これらの濾過と同様に行うことができる。
【００５３】
前記の記録メディアは、インク受容層を有するものと、有さないものとに大別される。前記インクジェット記録方法に用いる記録メディアとしては、これらのいずれも好ましい。
記録メディアとしては、例えば、紙、フィルム、繊維（ポリエステル、セルロース、ナイロン、羊毛等）、皮革、カラーフィルター用基材等が挙げられる。これらの中では繊維が好ましい。なお、繊維は、その構造物である布等も含む。
記録メディアが繊維のとき、繊維としては疎水性繊維が好ましい。疎水性繊維としては、例えばポリエステル繊維、ナイロン繊維、トリアセテート繊維、ジアセテート繊維、ポリアミド繊維、及びこれらの繊維を２種類以上用いた混紡繊維等が挙げられる。また、これらとレーヨン等の再生繊維、木綿、絹、羊毛等の天然繊維との混紡繊維も、それらの混紡繊維が疎水性繊維を含有する限り、本明細書においては疎水性繊維に含まれる。
これらの疎水性繊維としては、インク受容層（滲み防止層）を有するものも知られており、そのような疎水性繊維も同様に、本明細書における疎水性繊維に含まれる。インク受容層の形成方法は公知であり、インク受容層を有する繊維も市販品として入手できる。インク受容層の材質や構造等は、特に限定されず、目的等に応じて適宜選択することができる。
【００５４】
繊維に対する記録方法、すなわち繊維の捺染方法は、一般に２つの種類に大別される。
１つ目の方法は、ダイレクトプリント等と呼称される方法である。この方法は、前記９）に記載の記録方法において、記録メディアが繊維である記録方法である。
繊維に付着したインクの液滴中の着色剤は、例えば、公知のスチーミング又はベーキングによって繊維に固着できる。
スチーミングとしては、例えば高温スチーマーで通常１７０〜１８０℃で１０分程度；また、高圧スチーマーで通常１２０〜１３０℃で２０分程度の各条件で繊維を処理する方法が挙げられる。
ベーキング（サーモゾル）としては、例えば通常１９０℃〜２１０℃で６０秒〜１２０秒程度の条件で繊維を処理する方法が挙げられる。
前記のようにして得られる捺染された繊維を温水、及び必要に応じて水で洗浄することにより、繊維に固着していない染料を洗浄できる。洗浄に使用する温水や水は、界面活性剤を含むことができる。
洗浄後の繊維を、通常５０〜１２０℃で、５〜３０分乾燥することも好ましく行われる。
【００５５】
２つ目の方法は、昇華転写プリント等と呼称される方法である。この方法は、前記１０）に記載の記録方法において、記録メディアが繊維である記録方法である。
中間記録媒体としては、中間記録媒体に付着したインク中の着色剤が、その表面で凝集せず、且つ記録メディアへ記録画像の転写を行うときに、着色剤の昇華を妨害しないものが好ましい。
そのような中間記録媒体の一例としては、インク受容層を有する紙が挙げられ、インクジェット専用紙等を用いることができる。
中間記録媒体から記録メディアへ記録画像を転写するときの熱処理としては、通常１７０〜２００℃程度での乾熱処理が挙げられる。
【００５６】
記録メディアが繊維のときは、前処理された繊維が好ましい。前処理をすることにより、記録時の染料のにじみ等を防止することができる。
糊剤としては、グアー、ローカストビーン等の天然ガム類、澱粉類、アルギン酸ソーダ、ふのり等の海藻類、ペクチン酸等の植物皮類、メチル繊維素、エチル繊維素、ヒドロキシエチルセルロース、カルボキシメチルセルロース等の繊維素誘導体、カルボキシメチル澱粉等の加工澱粉、ポリビニルアルコール、ポリアクリル酸エステル等の合成糊等が挙げられる。
アルカリ性物質としては、例えば無機酸又は有機酸のアルカリ金属塩；アルカリ土類金属の塩；及び、加熱した際にアルカリを遊離する化合物から選択される物質が挙げられる。その具体例としては、例えば、水酸化ナトリウム、水酸化カルシウム等のアルカリ金属の水酸化物；炭酸ナトリウム、炭酸水素ナトリウム、炭酸カリウム、リン酸二水素ナトリウム、リン酸水素二ナトリウム、リン酸ナトリウム等の無機化合物のアルカリ金属塩；蟻酸ナトリウム、トリクロル酢酸ナトリウム等の有機化合物のアルカリ金属塩等が挙げられる。
還元防止剤としては、メタニトロベンゼンスルホン酸ナトリウム等が挙げられる。
前記ヒドロトロピー剤としては、尿素、ジメチル尿素等の尿素類等が挙げられる。
前記の糊剤、アルカリ性物質、還元防止剤、及びヒドロトロピー剤は、いずれも単一の化合物を使用することができる。また、それぞれ複数の化合物を併用することもできる。
前処理液の総質量に対する前処理剤の含有量は、例えば、糊剤が０．５％〜５％、アルカリ性物質が０．５％〜５％、還元防止剤が０％〜５％、ヒドロトロピー剤が１％〜２０％、残部が水である。
前処理は、糊剤、アルカリ性物質、還元防止剤、及びヒドロトロピー剤等の前処理剤を含有する液を前処理液とし、繊維に含浸、塗布、及びインクジェット記録等から選択される方法で付与するのが好ましい。具体例としては、例えば、パディング法が挙げられる。パディングの絞り率は４０〜９０％程度が好ましく、より好ましくは６０〜８０％程度である。
【００５７】
前記した全ての事項において、好ましいもの同士の組み合わせはより好ましく、より好ましいもの同士の組み合わせはさらに好ましい。好ましいものと、より好ましいものとの組み合わせ；より好ましいものと、さらに好ましいものとの組み合わせ等についても同様である。
【００５８】
本発明により、色糊等を用いる従来の捺染方法のように染料の種類や数を無制限に使用せずとも、従来のインクジェット捺染と比較して色再現範囲を拡大することができる。
本発明の分散液は、長期に保管しても固体の凝集や沈殿等を生じることなく、保存安定性が良好である。また、粘度、平均粒子径等の物性の変化も極めて少ない。
また、本発明のインク組成物は発色性に優れるだけでなく、耐光性、耐擦性、耐ガス性、耐塩素性、耐汗性、洗濯堅牢度等の、各種の堅牢性にも優れる。
【実施例】
【００５９】
以下、実施例により本発明をさらに詳細に説明するが、本発明は、実施例により限定されるものではない。
実施例中で使用した「水」は、特に断りのない限り「イオン交換水」である。
【００６０】
［合成例１］：下記式（４）で表される化合物の合成。
スルホラン７５部中に、１，４−ジアミノ−２，３−アンスラキノンジカルボキシイミド３部、３−アミノペンタン２５部を加えて液を得た。得られた液をオートクレーブ中で１４０℃に加熱し、６時間反応させた後、室温まで冷却して液を得た。得られた液から析出した固体を濾過分離し、メタノール１００部、水２００部で洗浄した後、乾燥することにより、下記式（４）で表される化合物３．１部を得た。
【００６１】
【化４】
2019001871.tif 000005
【００６２】
［合成例２］：下記式（５）で表される化合物の合成。
スルホラン７５部中に、１，４−ジアミノ−２，３−アンスラキノンジカルボキシイミド３．０部、１−アミノブタン２５部を加えて液を得た。得られた液をオートクレーブ中で１４０℃に加熱し、６時間反応させた後、室温まで冷却して液を得た。得られた液から析出した固体を濾過分離し、メタノール１００部、水２００部で洗浄した後、乾燥することにより、下記式（５）で表される化合物２．９部を得た。
【００６３】
【化５】
2019001871.tif 000006
【００６４】
［分散剤の溶液の調製]
４８％水酸化ナトリウム水溶液（３．１部）、イオン交換水（９６．９部）、及びプロピレングリコール（６０部）の混合液にジョンクリル６７８（４０部）を加え、９０℃に加熱して５時間撹拌することにより、分散剤の溶液を得た。下記表１中の「ＪＣ６７８」は、この分散剤の溶液を意味する。
【００６５】
［水性分散液の調製］
下記表１に記載の各成分をサンドミルに入れ、０．３ｍｍのジルコニアビーズを加えて、水冷下、１５００ｒｐｍ、１５時間の条件で分散処理を行って液を得た。得られた液にイオン交換水を加えて希釈することにより、液中の着色剤の含有量を１５％に調整した。この液をガラス繊維ろ紙ＧＣ−５０（ＡＤＶＡＮＴＥＣ社製）で濾過することにより、着色剤の含有量が１５％の分散液Ｄｐ１〜Ｄｐ６をそれぞれ得た。
【００６６】
下記表１中の略号等は、以下の意味を有する。
式（４）：前記式（４）で表される化合物。
ＤＹ５４：Ｃ．Ｉ．ＤＩｓｐｅｒｓｅ  Ｙｅｌｌｏｗ  ５４。
ＤＲ６０：Ｃ．Ｉ．ＤＩｓｐｅｒｓｅ  Ｒｅｄ  ６０。
ＤＢ７２：Ｃ．Ｉ．Ｄｉｓｐｅｒｓｅ  Ｂｌｕｅ  ７２。
式（５）：前記式（５）で表される化合物。
ＤＢ６０：Ｃ．Ｉ．Ｄｉｓｐｅｒｓｅ  Ｂｌｕｅ  ６０。
ＳＦ１０４：サーフィノール  １０４ＰＧ５０。
ＧＸＬ：プロキセル  ＧＸＬ。
【００６７】
【表１】
2019001871.tif 000007
【００６８】
［インクの調製］
下記表２に記載の各成分を混合してインクを得た。得られたインクを、５μｍのメンブレンフィルターで濾過することにより、試験用の６種類のインクを得た。各インク中の着色剤の総含有量は、４．８％に調整した。
【００６９】
下記表２中の略号等は、以下の意味を有する。
Ｄｐ１〜Ｄｐ６：前記表１に記載の分散液Ｄｐ１〜Ｄｐ６。
Ｇｌｙ：グリセリン。
ＰＧ：プロピレングリコール。
ＥＣ８６００：アデカコール  ＥＣ−８６００。
ＧＸＬ：プロキセル  ＧＸＬ。
ＴＥＡ：トリエタノールアミン。
【００７０】
【表２】
2019001871.tif 000008
【００７１】
［染布の調製］
前記のインクを下記表３のとおりに組み合わせて、実施例と比較例のインクセットとした。得られたインクセットをそれぞれ使用し、中間記録媒体である昇華転写紙（転写紙ＪＣ９５ｇ−８９、ミマキエンジニアリング株式会社製)に対して、インクジェットプリンタＰＸ−２０５（セイコーエプソン社製）にて、シアンインク／イエローインク、又はシアンインク／マゼンタインクの割合が、それぞれ５０／５０となるように各インクを吐出したベタ柄を記録した。得られた転写紙のインクの付与面を１０ｃｍ×１０ｃｍに裁断し、同じ大きさのポリエステル布（トロピカル、帝人株式会社製）と重ね合わせた。この状態の転写紙／ポリエステル布を、熱プレス機（ＡＦ−６５  ＴＥＮ、アサヒ繊維機械株式会社製)を用いて２００℃×６０秒の条件にて熱処理することにより、転写紙からポリエステル布へ昇華転写を行い、グリーン、又はレッドに染色された各染布を得た。得られた各染布を試験染布とし、下記する評価試験を行った。
各染布に使用したインクの組み合わせと、その色調を下記表４に示す。
【００７２】
【表３】
2019001871.tif 000009
【００７３】
【表４】
2019001871.tif 000010
【００７４】
［ブラックインクの調製］
下記表５に記載の各成分を混合することにより、実施例２のブラックインクを調製した。このブラックインクが含有する前記式（４）で表される化合物、Ｃ．Ｉ．Ｄｉｓｐｅｒｓｅ  Ｙｅｌｌｏｗ  ５４、及びＣ．Ｉ．Ｄｉｓｐｅｒｓｅ  Ｒｅｄ  ６０は、いずれもＡｍｅｓ試験が陰性、すなわち変異原性を示さない着色剤である。前記式（４）で表される化合物をシアンインクの着色剤とすることにより、人体や環境に優しいシアンインク、イエローインク及びマゼンタインクを有するインクセット、及びブラックインクをさらに有するインクセットを構成することができた。
【００７５】
下記表５中の略号等は、以下の意味を有する。
Ｄｐ１〜Ｄｐ３：前記表１に記載のＤｐ１〜Ｄｐ３の分散液。
Ｇｌｙ：グリセリン。
ＰＧ：プロピレングリコール。
ＥＣ８６００：アデカコール  ＥＣ−８６００。
ＧＸＬ：プロキセル  ＧＸＬ。
ＴＥＡ：トリエタノールアミン。
【００７６】
【表５】
2019001871.tif 000011
【産業上の利用可能性】
【００７７】
本発明のインクセットは、シアンインクとイエローインクの混色であるグリーン、及び、シアンインクとマゼンタインクの混色であるレッドの色調における耐光性に優れ、人体や環境に優しいインクセットである。このため各種の記録、特にインクジェット記録やインクジェット捺染に用いるインクセットとして、極めて有用である。